(57)【要約】【課題】無線タグを利用して簡単に防災システムを構築できる異常検知装置を提供する。【解決手段】異常検知装置は無線タグＴと検出装置１０とから成り、無線タグＴは、錠スイッチＳＷ１、窓Ｍの開閉検知スイッチＳＷ２を備え、タグアンテナ２を窓Ｍのガラス部５に配設する。窓Ｍは閉まっており且つ施錠されている初期状態ではアンテナ回路はＯＮであり、検出装置１０の質問信号に対し無線タグ１は応答信号を常に返信する。窓Ｍの開移動・錠８の開錠動作・ガラス部５の破壊等の不審動作が生じるとスイッチＳＷ１・ＳＷ２が動作することにより又はアンテナ回路が断線することによりアンテナ回路がＯＦＦになって無線タグ１からの応答信号が途絶し、検出装置１０が検出信号を出力し、警報装置・表示装置等の各種機器に所要の動作を行わせ、警備会社や利用者の携帯電話等へ警報を通知する。窓Ｍの施錠忘れや閉め忘れを検知して、これを表示させることも可能である。【選択図】      図１
2005115409.tif 000002
【特許請求の範囲】
【請求項１】
電波の送受信機能を備える検出装置と、窓・扉等の開閉構造物に取着され検出装置から送信される電波信号に基づいて検出装置へ応答信号を送信する無線タグとから成り、前記無線タグは開閉構造物の開閉状態を検知して信号送信機能を有効又は無効にするスイッチを有し、前記検出装置が無線タグからの応答信号の有無を検出して検知信号を出力するようになされていることを特徴とする開閉構造物の異常検知装置。
【請求項２】
電波の送受信機能を備える検出装置と、窓・扉等の開閉構造物に取着され検出装置から送信される電波信号に基づいて検出装置へ応答信号を送信する無線タグとから成り、前記無線タグは開閉構造物に取り付けた施錠装置の開錠状態又は閉錠状態を検知して信号送信機能を有効又は無効にするスイッチを有し、前記検出装置が無線タグからの応答信号の有無を検出して検知信号を出力するようになされていることを特徴とする開閉構造物の異常検知装置。
【請求項３】
電波の送受信機能を備える検出装置と、ガラス部分を有する窓・扉等の開閉構造物に設けられ検出装置から送信される電波信号に基づいて検出装置へ応答信号を送信する無線タグとから成り、前記開閉構造物のガラス部分に無線タグのアンテナが配設され、前記ガラス部分が破壊されてアンテナが切断されることにより無線タグからの応答信号が途絶すると、検出装置が検知信号を出力するようになされていることを特徴とする開閉構造物の異常検知装置。
【請求項４】
前記アンテナは、透明導電材料を用いてガラス部分の表面に形成したものである請求項３に記載の開閉構造物の異常検知装置。
【請求項５】
無線タグが取着される窓・扉等の開閉構造物が複数個在り、各無線タグは検出装置から送信される電波信号に対し記憶部に保持した保持情報に基づき検出装置へ応答信号を送信するように構成され、各無線タグに備えられる記憶部に保持される保持情報が互いに異なっている請求項１乃至４のいずれかに記載した開閉構造物の異常検知装置。
【請求項６】
無線タグが取着される開閉構造物の周囲に、無線タグとの間で電波信号の送受信をするための検出アンテナが配設され、検出アンテナと検出装置とを、又は、検出装置と制御装置とを、建物に備えられる電気配線を用いて接続した請求項１乃至５のいずれかに記載の開閉構造物の異常検知装置。
【請求項７】
壁体等の構築材における開閉構造物取付部位の周囲に、検出装置と接続される検出アンテナがあらかじめ配設されている請求項１乃至６のいずれかに記載した開閉構造物の異常検知装置。
【請求項８】
無線タグが取着される開閉構造物の可動部分に、無線タグとの間で電波信号の送受信をするための検出アンテナが設けられ、検出アンテナと検出装置に連絡する配線とを接続する電波結合端子を、開閉構造物の可動部分とこれに隣接する固定部分との間に設け、電波結合端子の接点が開閉構造物の開閉に伴い離接するように構成した請求項１乃至７のいずれかに記載の開閉構造物の異常検知装置。
【請求項９】
無線タグが取着される開閉構造物の周囲に検出アンテナが設けられ、開閉構造物の開動作により検出アンテナの信号送受信機能を無効化するスイッチを設けた請求項１乃至８のいずれかに記載の開閉構造物の異常検知装置。
【請求項１０】
検出装置から出力される検知信号に基づき動作する警報装置又は通報装置が設けられ、建物出入口の扉に設けた施錠確認手段により閉錠状態が確認されているときに警報装置又は通報装置が動作可能なように設定されている請求項１乃至９のいずれかに記載の開閉構造物の異常検知装置。
【発明の詳細な説明】
【技術分野】
【０００１】
本発明は、無線タグを利用して構築した開閉構造物の異常検知装置に関する。
【背景技術】
【０００２】
特許文献１に、窓に取り付けた異常検知手段により窓の開動作又は錠（クレセント）の取り外しを検知すると、防犯カメラを作動させ、映像を携帯電話へ転送するようになされた防犯システムが記載されている。この防犯システムは、異常検知手段から制御装置への異常検知信号の出力、制御装置から防犯カメラへの画像取得指令の出力、及び、防犯カメラから制御装置への画像データ出力を、いずれも電波により無線で行うように構成されている。
【特許文献１】特開２００３−１１５０８５公報
【発明の開示】
【発明が解決しようとする課題】
【０００３】
前記従来の防犯システムは、異常検知手段における異常検知信号を発信する発信回路の駆動電源としてボタン電池を採用している。そのため、システムの信頼性を確保するには電池残量を常時監視する必要があり、電池残量が不足したときには、防犯システムが作動しなくなるという問題がある。また前記従来の防犯システムの異常検知手段は、窓の開動作又は錠（クレセント）の取り外しを検知するだけであり、窓ガラスの破壊には対応していない、という欠点がある。
【課題を解決するための手段】
【０００４】
本発明は、前記従来の問題を解決でき、簡単な構成で防犯システムを構築できる開閉構造物の異常検知装置を提供するものでって、その特徴とするところは、電波の送受信機能を備える検出装置と、窓・扉等の開閉構造物に取着され検出装置から送信される電波信号に基づいて検出装置へ応答信号を送信する無線タグとから成り、前記無線タグは開閉構造物の開閉状態を検知して信号送信機能を有効又は無効にするスイッチを有し、前記検出装置が無線タグからの応答信号の有無を検出して検知信号を出力するようになされていることである。
【０００５】
ここで無線タグとは、例えば検出装置から送信される電波を利用して電力を生起させ、記憶部に保持した情報に基づき受信電波を変調し、応答電波信号を生成させて送信するものである。またスイッチは、窓や扉等の開閉構造物が開いたとき及び／又は閉じたときに無線タグの信号送信機能を有効にするか又は無効化するように動作するものであり、例えばリミットスイッチ・リードスイッチ・マイクロスイッチ等で構成される。なお通常は、検出装置の検知信号が出力されたならば、警報装置・通報装置等を動作させるよう設定される。さらに警報装置・通報装置等の動作は、利用者の所望により、検知信号が有っても禁止できるよう構成することが可能である。
【０００６】
本発明に係る異常検知装置は、例えば次のように動作する。検出装置から常時電波を送信し、無線タグとの間で電波信号の送受信が随時可能な状態とする。またスイッチは、開閉構造物が開いた時に、無線タグの信号送信機能を無効化するものとする。開閉構造物の閉止時は、検出装置が送信する電波に対し、無線タグが応答信号を常時送信するので、検出装置がこの状態を検知することにより閉止状態と判断される。開閉構造物が開くと、スイッチが無線タグの信号送信機能を無効化する。その結果、無線タグからの応答信号が途絶するので、この状態を検出装置が検知することにより検知信号を出力し、必要に応じ、警報装置等を動作させる。本発明に係る異常検知装置は、無線タグに電池を内蔵させることが不要なので、電池残量の管理や電池交換等の手間を省くことができ、動作信頼性の高い防犯システムを構築することが可能である。
【０００７】
なお前記異常検知装置において、開閉構造物が開動作したときに、スイッチが無線タグの信号送信機能を有効化するように設定することも可能である。この場合、平常時は無線タグからの応答信号が無く、開動作時にスイッチが無線タグの信号送信機能を有効にして無線タグからの応答信号を開始させるので、これを検出装置が受信することにより、検知信号を出力する。また、開閉構造物を開いた状態から閉動作させると、スイッチが無線タグの信号送信機能を再度有効化する復帰動作を起こすようにすることも、所望により採用できる。
【０００８】
前記異常検知装置におけるスイッチを、開閉構造物に取り付けた施錠装置の開錠状態又は閉錠状態を検知して無線タグの信号送信機能を有効又は無効にするものとすることも可能である。この場合、施錠装置の開閉動作があったときに、検出装置から検知信号が出力される。
【０００９】
さらに、窓・扉等の開閉構造物がガラス部分を有する場合、該ガラス部分に無線タグのアンテナを配設し、ガラス部分が破壊されてアンテナが切断されることにより無線タグからの応答信号が途絶すると、検出装置が検知信号を出力するように構成することも可能である。この例では、窓ガラスの破壊を検知して、検出装置が検知信号を出力させる。なお本例を採用する場合、金属線をガラス部分に埋め込んでアンテナとすると、窓ガラスが割れてもアンテナが断線しない可能性が考えられるので、前記アンテナを、透明導電材料を用いてガラス部分の表面に形成するとよい。
【００１０】
本発明に係る異常検知装置において、無線タグが取着される窓・扉等の開閉構造物が複数個在り、各無線タグが検出装置から送信される電波信号に対し記憶部に保持した保持情報に基づき検出装置へ応答信号を送信するように構成されている場合、各無線タグに備えられる記憶部に保持される保持情報が互いに異なっているよう設定することが望ましい。例えば、建物各所の開閉構造物に取り付けた複数の無線タグそれぞれに位置情報を保持させ、検出装置で各無線タグの位置情報を読み出すように設定すれば、開閉動作・開錠動作・ガラス破壊等の異常発生時に応答信号が途絶（又は開始）した無線タグを検出することにより、異常発生箇所を特定するのが容易となる。
【００１１】
本発明に係る異常検知装置を用いて防犯システムを構築するにあたっては、無線タグが取着される開閉構造物の周囲に、無線タグとの間で電波信号の送受信をするための検出アンテナを配設し、検出アンテナと検出装置とを建物に備えられる電気配線を用いて接続する態様が考えられる。あるいは、壁体等の構築材における開閉構造物取付部位の周囲に、検出装置と接続される検出アンテナをあらかじめ配設してもよい。さらには、無線タグが取着される開閉構造物の可動部分に、無線タグとの間で電波信号の送受信をするための検出アンテナを設け、検出アンテナと検出装置に連絡する配線とを接続する電波結合端子を、開閉構造物の可動部分とこれに隣接する固定部分との間に設け、電波結合端子の接点が開閉構造物の開閉に伴い離接するように構成することも可能である。なお、無線タグが取着される開閉構造物の周囲に検出アンテナを設けた場合、開閉構造物の開動作により検出アンテナの信号送受信機能を無効化するスイッチを設けてもよい。
【００１２】
ところで、検出装置から出力される検知信号に基づき動作する警報装置又は通報装置を設けた場合には、建物出入口の扉に設けた施錠確認手段により閉錠状態が確認されているときに警報装置又は通報装置が動作可能なように設定することが望ましい。
【発明の効果】
【００１３】
本発明に係る異常検知装置は、窓や扉等の開閉構造物の開閉動作若しくは施錠装置の開錠状態又は閉錠状態を検知することにより、無線タグの信号送信機能を有効又は無効にするスイッチを設けた構成によって、又は、ガラス部分に透明導電材料等で無線タグのアンテナを配設した構成によって、無線タグを異常検知手段として利用することを可能にしたものである。無線タグは、配線工事も内蔵電池も不要であるから、設置作業がきわめて簡単であると共に、電池残量の管理や電池交換等のメンテナンスを省けるので、信頼性の高い防犯システムを簡単に構築することができる。
【００１４】
また、複数の窓・扉等の開閉構造物に取り付けられる無線タグの保持情報が互いに異なっているように設定した場合は、防犯上問題の有る箇所を容易に特定することができる。
【００１５】
無線タグが取着される開閉構造物の周囲に、無線タグとの間で電波信号の送受信をするための検出アンテナが配設され、検出アンテナと検出装置、又は検出装置と制御装置とを建物に備えられる電気配線を用いて接続した場合は、電気配線を簡略化でき、施工が容易になる。
【００１６】
開閉構造物取付部位の周囲に、検出装置と接続される検出アンテナをあらかじめ配設した構築材を用いれば、施工が容易になる。
【００１７】
開閉構造物の可動部分とこれに隣接する固定部分との間に電波結合端子を設け、接点が開閉構造物の開閉に伴い離接するように構成した場合は、開閉構造物の可動部分に検出アンテナを配設することが可能になる。
【００１８】
開閉構造物の開動作により検出アンテナの信号送受信機能を無効化するスイッチを設けた場合は、無線タグのアンテナに設けるスイッチを省略することが可能である。
【００１９】
建物出入口の扉に設けた施錠確認手段により閉錠状態が確認されているときに警報装置又は通報装置が動作可能なように設定した場合は、異常検知装置を必要時だけ稼働させることができる。
【発明を実施するための最良の形態】
【００２０】
［第１の実施形態］
図１は、本発明に係る異常検知装置を用いて、窓Ｍに防犯システムを構築した実施形態を示すものである。同異常検知装置は、窓Ｍに取り付けた無線タグＴと、無線タグＴと電波により交信する検出装置１０とを主要な構成要素とする。無線タグＴは、ＩＣチップ１、タグアンテナ２、及び、信号送受信機能を無効化するスイッチＳＷ１，ＳＷ２から成る。本例では、無線タグＴのＩＣチップ１を窓枠部６に埋め込み、タグアンテナ２を窓Ｍのガラス部５に配設し、検出装置１０と接続される検出アンテナ１１を窓Ｍの框部７に配設する構成を採用した。従って、無線タグＴや検出アンテナ１１を組み込んだ窓用サッシを用意しておけば、本発明に係る異常検知装置を用いた防犯システムの施工が非常に容易である。
【００２１】
なお、タグアンテナ２をガラス部５に配設する手段としては、細い金属線をガラス部５内に埋設するほか、インジュームティンオキサイド（ＩＴＯ）等の透明導電材料をガラス５上に塗布してアンテナを形成する方法が考えられる。また、タグアンテナ２及び検出アンテナ１１は、検出装置１０から送信される電波を効率よく受信するため、平面内において巻回したループ状となるの形態を採用している。しかしアンテナ２，１１の形態は、交信に使用する電波の周波数や強度等に基づき変更することが可能であり、例えば、棒状・バッチ状（素子状）・複合バッチ状・面状・スロット状・螺旋状・パターン状など、状況に応じ適宜採用することが可能である。
【００２２】
無線タグＴの信号送受信機能を無効化するスイッチは、例えば、窓Ｍに設けた錠８の開閉動作に基づいて動作する錠スイッチＳＷ１や、窓枠部６に取り付けられて窓Ｍの開閉動作により動作する開閉検知スイッチＳＷ２等が考えられる。これら錠スイッチＳＷ１，開閉検知スイッチＳＷ２は、図２に示す如く、タグアンテナ２に直列に組み込まれ、閉錠時及び窓Ｍの閉止時はアンテナをＯＮ（回路が閉じている状態）に維持し、錠８の開錠動作又は窓Ｍの開動作等の不審動作時に動作してアンテナをＯＦＦ（回路が開いている状態）にするよう設定されている。このようなスイッチとしては、リミットスイッチ・リードスイッチ・マイクロスイッチなどが用いられる。また、ガラス部５にタグアンテナ２を形成したことにより、ガラス部５が破壊されるとアンテナがＯＦＦになるから、タグアンテナ２自体もスイッチの一つとして機能する。なお図面には、窓Ｍに錠スイッチＳＷ１及び開閉検知スイッチＳＷ２の両方を設けた例を示したが、いずれか一方だけであってもよい。
【００２３】
検出装置１０は、錠８の開錠動作，窓Ｍの開移動又はガラス部５の破壊等の不審動作によりスイッチが動作してアンテナがＯＦＦになると、検知信号を出力するものである。検出装置１０は、警報装置・表示装置・通信装置等と直接接続して、検知信号がこれら機器へ直接入力されるように構成してもよいが、検出装置１０と各種機器との間にコンピュータ等の制御装置２０を配設してもよい。また、検出装置１０から制御装置２０への検知信号の伝達は、電気配線により有線式で行うほか、電波・光により無線式で行う態様も可能である。
【００２４】
無線タグＴの構造は様々な態様が可能であるが、本例では図３に示すようなＩＣチップ１を採用した。図面に示す如く、ＩＣチップの内部構造は、無線通信インターフェースを介してアンテナと接続される受信部及び送信部、受信電波により電力を発生させる電源生成部、電波の復調・変調を制御するＭＰＵ等から成る制御部、当該無線タグの識別情報その他の情報を保持する不揮発性メモリ等から成る記憶部などより構成されている。但し上記無線通信インターフェース・受信部・送信部は、一体に構成される場合もある。また、記憶部を読み取り専用メモリで構成してもよいが、所望により保持情報の更新又は変更のため書換可能とする場合は、外部通信インターフェース（図示せず）をＩＣチップ１に備えることが望ましい。
【００２５】
前記異常検知装置Ｓを用いた防犯システムＳの動作を説明すると次の如くである。なおスイッチＳＷ１・ＳＷ２は、初期状態ではアンテナをＯＮに維持し、窓Ｍの不審動作時にアンテナをＯＦＦにするよう動作するものとする。また当初、窓Ｍは閉まっており且つ施錠されているものとする。異常検知装置Ｓの検出装置１０は検出アンテナ１１から、無線タグＴのタグアンテナ２へ向かって、常時又は間歇的に質問信号を発信する。初期状態では、アンテナはＯＮであり、無線タグＴは、検出装置１０から送信される電波信号をタグアンテナ２で受信し、受信電波のエネルギーを利用してＩＣチップ１の電源生成部で動作用電力を発生させ、制御部により記憶部に保存されている情報に基づき受信電波を変調させた応答信号を、検出装置１０へ返信可能な状態を常時維持する。
【００２６】
家人の不在時や夜間の就寝時などにおいて、窓Ｍの開移動・錠８の開錠動作・ガラス部５の破壊等の不審動作が生じると、スイッチＳＷ１又はＳＷ２が動作することにより、又はタグアンテナ２が断線することにより、アンテナがＯＦＦになり、無線タグＴからの応答信号が途絶する。検出装置１０は、この応答信号の途絶を検知して検出信号を出力し、必要に応じ制御機器２０を介して、警報装置・表示装置等の各種機器に所要の動作を行わせる。あるいは通信装置を動作させて、警備会社・警察署・管理事務所さらには利用者の携帯電話等へ警報を通知するよう設定することも可能である。さらにまた、無線タグＴからの応答信号が受信されないことに基づき、窓Ｍの施錠忘れや閉め忘れを検知して、これを表示させることにより、防犯上の問題箇所の有無及びその所在を指摘することが可能である。
【００２７】
ところで前記異常検知装置Ｓは、スイッチ動作によりアンテナをＯＦＦにするように設定したものであるが、反対に、初期状態ではアンテナをＯＦＦに維持し、窓Ｍの不審動作に基づくスイッチ動作により、アンテナがＯＮになって、無線タグＴからの応答信号の送信が開始するように構成することも可能である。この場合において、錠スイッチＳＷ１と開閉検知スイッチＳＷ２の両方を用いるときは、これらはアンテナに対し並列に接続される。
【００２８】
［第２の実施形態］
図４に示すように、無線タグＴのタグアンテナ２を、窓３の窓枠部６に配設することも可能である。この場合、窓Ｍの不審動作は、錠スイッチＳＷ１と開閉検知スイッチＳＷ２とによって検知する。なお本例の場合、タグアンテナ２と、框部７に設けた検出アンテナ１１との距離が短くなるから、検出装置１０からの電波信号の出力を大きくしなくても、不審動作の検知を確実にできる。
【００２９】
［第３の実施形態］
図５は、無線タグＴと交信するための検出装置１０の検出アンテナ１１を、窓Ｍの窓枠部６に配設した実施形態を示すものである。本例は、窓Ｍの可動部分に検出アンテナ１１を設けるので、検出アンテナ１１と検出装置１０とを電気的に接続するため、窓枠部６と框部７との間に電波結合端子３０を設けた。また、電波結合端子３０を通じて検出アンテナ１１に電力を供給する必要があるため、検出装置１０は給電装置を兼ねている。
【００３０】
前記電波結合端子３０は、機械的には離接が可能であり、接合時には電気的な信号のやりとりができるよう構成されたものである。その構造は、例えば図６（Ａ）に示す如く、二つの配線３１，３２それぞれの端部にコイル３３部分を形成し、電波結合端子３０の接合時には、配線３１，３２間で電磁誘導により電力の供給と共に電波信号の送受信が可能なように構成した電磁誘導式のものが挙げられる。あるいは図６（Ｂ）に示す如く、二つの配線３１，３２それぞれの端部に接点３１ａ，３２ａを設け、一方の接点３１ａをバネ３４で突出方向へ常時付勢し、電波結合端子３０の接合時に上記接点３１ａ，３２ａが密接することにより、電気的接続がなされるように構成した構造が考えられる。
【００３１】
本例によれば、窓Ｍの閉止時に電波結合端子３０が接合状態となって、無線タグＴと検出装置１０との間の交信が可能となり、窓Ｍを開くと電波結合端子３０が分離状態となるので、無線タグＴと検出装置１０との間の交信が途絶える。すなわち電波結合端子３０は、窓Ｍの開閉によってＯＮ・ＯＦＦ動作するスイッチの機能を果たす。従って、無線タグＴから応答信号が送信されている状態を初期状態とし、応答信号が途絶したことを検知したならば検出装置１０が検出信号を出力するように設定すれば、アンテナに接続する開閉検知スイッチＳＷ２を省略することが可能である。なお錠スイッチＳＷ１を、検出アンテナ１１の回路に組み込む構成も可能である。
【００３２】
ところで本実施形態では、検出装置１０と制御装置２０とを接続するのに、建物に備えられている電気配線（屋内配線）を利用している。すなわち、検出装置１０側の配線１０ａをコンセントに引き込むか又は接続し、制御装置２０側の配線２０ａを屋内配線と適所で接続する。これにより、検出装置１０から出力される検知信号の伝達を、屋内配線を通じて行うことができる。このように、検出装置１０と制御装置２０との配線接続を電気配線（屋内配線）を利用すれば、制御装置２０の設置場所の自由度を大きくできる。また既設の建物に適用する場合に、配線工事を簡略化できるので、いわゆるリフォームにより防犯システムを追加する場合に有利である。
【００３３】
［第４の実施形態］
図７に示すように、検出装置１０と検出アンテナ１１とを、建物に備えられている電気配線（屋内配線）を利用して接続する態様も考えられる。すなわち、検出アンテナ１１側の配線１１ａをコンセントに引き込むか又は接続し、検出装置１０側の配線１０ａを屋内配線と適所で接続する。これにより、検出装置１０から検出アンテナ１１への質問信号の出力及び無線タグＴから返信され検出アンテナ１１で受信した応用信号の検出装置１０への伝達を、屋内配線を通じて行うことができる。また、検出アンテナ１１への電力供給も同時に行える。
【産業上の利用可能性】
【００３４】
［第５の実施形態］
本発明は、戸建て住宅、アパート・マンション等の集合住宅、ホテル、オフィス、工場、デパートやスーパーマーケット、官公庁舎・図書館・美術館等の公共施設など各種建物に適用することができ、これらの建物のように多数の窓Ｍを有している場合、各窓Ｍに無線タグと検出装置とからなる本発明異常検知装置を設けることが望ましい。特に図８に例示するようなマンション・ホテル・オフィスビル等多層階建築物４０の各窓Ｍに、本発明に係る異常検知装置Ｓを適用する場合、一本のアンテナ線から成る検出アンテナ１１を躯体壁に埋設し且つ各階層Ｇ１〜Ｇ６を周回するようにコイル状に配設することにより、１台の検出装置１０で建物全部の窓Ｍの監視が可能となる。検出装置１０から出力される検知信号は、管理用コンピュータや通信装置等へ出力され、この検知信号に基づき、警報装置の起動及び／又は通信装置を通じた警備会社・警察署・携帯電話への通報を行うように設定される。
【００３５】
本実施形態では、各窓Ｍに配置する無線タグＴそれぞれに異なる識別情報を保持させることにより、どの窓Ｍにおいて不審動作が生じたかを識別することができる。また各窓Ｍに錠スイッチＳＷ１・開閉検知スイッチＳＷ２を設けた場合は、不審動作の検知だけでなく、施錠がなされていない窓や開放されている窓等、防犯上問題のある窓Ｍを検知しその位置を特定することが可能である。なお、複数の応答信号が同時に送信されたときに、これらを区別することが必要である。それには、無線タグＴのアンチコリジョン機能を利用し、一個の検出装置１０で複数個の無線タグＴと同時に交信可能とするマルチアクセスモードを採用すればよい。
【００３６】
［第６の実施形態］
図９は、本発明に係る異常検知装置を用いて住宅５０に防犯システムを構築した場合において、窓Ｍの異常の有無を、出入口のドアＤで確認できるように構成した例を示すものである。本実施形態では、図９（Ｂ）に示す如く、開閉動作するドアＤに表示装置１３を設け、窓Ｍの異常を検知する検出装置１０と表示装置１３とを、ドアＤの端縁部と躯体５１側のドア枠部分との間に設けた電磁誘導式の結合端子１５により電気的に接続した。従って、ドアＤが閉止しているときに限り、検出装置１０から表示装置１３への検知信号の伝達と、必要電力の供給とがなされる。なお、表示装置１３が動作電力を保持できるように、電池又は大容量コンデンサを設けてもよい。さらに場合によっては、検出装置１０と表示装置１３との接続を配線１２で行わず、表示装置１３に受信ユニット１７を組み込んで、電波等により無線的に接続することも可能である。
【００３７】
本例では、無線タグを取り付けた窓Ｍにおいて不審動作又はガラス部の破壊等が生じたならば、検出装置１０が検知信号を出力し、この検知信号がドアＤに設けた表示装置１３へ直接、又は制御装置を介し、出力される。液晶パネル等を備える表示装置１３は、検知信号を受けると「異常有り」を示すメッセージを表示する。また、表示装置１３に解析手段を備えるか、あるいは制御装置を間に介設することにより、異常の有った窓Ｍの位置・異常の発生時間・異常の内容等を詳細に表示できるようにしてもよい。これにより、例えば外出から帰宅した家人が住宅５０内へ入る前に異常の有無を確認でき、不用意に室内へ入って侵入者と遭遇する等の危険を回避することが可能となる。
【００３８】
［その他の実施形態］
本発明が対象とする開閉構造物には、窓のほか、出入口の戸・扉・ドア等が含まれる。窓Ｍ等の異常を検出したときに、検出装置１０から出力される検知信号を利用者の携帯電話へ送信されるように設定し、これを見た利用者が、携帯電話から室内の警報装置を動作させたり警告メッセージを発信させたりできるように構成することも考えられる。
【００３９】
本発明に係る異常検知装置は、常時稼働させるのではなく、居住者の不在時や就寝時等の必要時にだけに稼働させるように設定してもよい。また、出入口のドアの施錠状態と、防犯システムの有効・無効を連動させるように構成してもよい。すなわちドアが施錠されているときに、異常検知装置が有効化するように設定する。
【００４０】
窓やドア等の開閉構造物の取付部位を備える壁パネルで建物を構築する場合、検出装置１０に接続される検出アンテナ１１を、ほぼ全領域にあらかじめ埋設した壁パネルを用意すれば、配線作業が簡略になるので、本発明異常検知装置による防犯システムの施工を容易にすることができる。
【００４１】
なお本発明に係る異常検知装置を用いて所定地域内の住宅・建物へ防犯システムを網羅的に導入し、個々のシステムの検知結果が全て警備会社か警察署へ通報されるようにネットワークを構築すれば、無線タグの位置情報と地図との組み合わせから、問題を生じた場所の特定が短時間ででき、よって地域単位の防犯態勢を準備することが可能となる。
【図面の簡単な説明】
【００４２】
【図１】本発明の第１の実施形態に係るものであって、異常検知装置を窓に適用して構築した防犯システムの概略構成を示す図面である。
【図２】本発明に係る異常検知装置の概略構成を示す図面である。
【図３】本発明に係る異常検知装置に用いる無線タグのＩＣチップの内部構造を概略的に示すブロック図である。
【図４】本発明の第２の実施形態に係るものであって、異常検知装置を窓に適用して構築した防犯システムの概略構成を示す図面である。
【図５】本発明の第３の実施形態に係るものであって、異常検知装置を窓に適用して構築した防犯システムの概略構成を示す図面である。
【図６】本発明の第３の実施形態に用いる電波結合端子を例示するものであって、図（Ａ）は電磁誘導式のもの、図（Ｂ）は接点接合式のものである。
【図７】本発明の第４の実施形態に係るものであって、異常検知装置を窓に適用して構築した防犯システムの概略構成を示す図面である。
【図８】本発明の第５の実施形態に係るものであって、異常検知装置を適用して多層階建物に防犯システムを構築した状態を示す図面である。
【図９】本発明の第６の実施形態に係るものであって、図（Ａ）は異常検知装置を用いて防犯システムを構築した住宅の斜視図、図（Ｂ）はドア部分の拡大正面図である。
【符号の説明】
【００４３】
Ｍ…窓  
Ｓ…異常検知装置
１…無線タグ  
２…タグアンテナ  
１０…検出装置  
１１…検出アンテナ
【図１】
2005115409.tif 000003
【図２】
2005115409.tif 000004
【図３】
2005115409.tif 000005
【図４】
2005115409.tif 000006
【図５】
2005115409.tif 000007
【図６】
2005115409.tif 000008
【図７】
2005115409.tif 000009
【図８】
2005115409.tif 000010
【図９】
2005115409.tif 000011